(57)【特許請求の範囲】
【請求項１】
室外側開口および室内側開口を有する通風部と、
前記室外側開口から前記室内側開口までの空気の流路に設けられる羽根部と、
前記室内側開口より室内側で回動可能に固定される回動軸部と、
前記回動軸部に連結され、前記羽根部を移動させる吊り上げ機構と、を備え、
前記吊り上げ機構は、初期位置にある前記羽根部を前記室内側開口を閉じる方向に吊り上げ、閉鎖位置にて前記羽根部により前記室内側開口を閉塞可能であることを特徴とする換気装置。
【請求項２】
前記羽根部の端部の少なくとも一辺には、前記室内側開口の縁に面接触する当接面が形成され、
前記羽根部を吊り上げる際に前記羽根部の端部に当接して前記羽根部の動きを制限して、前記当接面を前記室内側開口の縁に面接触させる制限部をさらに備えることを特徴とする請求項１に記載の換気装置。
【請求項３】
前記当接面は、同一平面上に設けられることを特徴とする請求項２に記載の換気装置。
【請求項４】
前記吊り上げ機構は、前記羽根部と前記吊り上げ機構を回動可能に連結する第１リンク軸部を有し、
前記第１リンク軸部は、軸方向から見て前記羽根部の中央部に連結することを特徴とする請求項１から３のいずれかに記載の換気装置。
【発明の詳細な説明】
【技術分野】
【０００１】
本発明は、壁面に取り付けられ、空気を取り込むための換気装置に関する。
【背景技術】
【０００２】
一般的に、高層建築物では、高階層になるほど風が強いうえ、落下に対する安全性を配慮する観点から、窓を開閉できない。このため、窓を開閉しなくとも、室外空間と室内空間との間で換気できる換気装置の提案が望まれる。
【０００３】
特許文献１に記載の換気装置は、室外空間から室内空間に向けて空気が通過する通路を形成するハウジングと、通路内において回転自在に支持された回転羽とを備える。この回転羽が回転することによってハウジング内の通路の開度が変更され、通路内を通過する空気の流量が調整可能とされている。この回転羽は、風が弱いときには大きな開度で外気を取り込みやすくし、風が強いときには小さな開度で外気を取り込みにくくする。さらに換気装置は、雨などの天候で使用しない場合に室内側の開口を閉じるための蓋部材を備える。
【先行技術文献】
【特許文献】
【０００４】
【特許文献１】特開２０１４−１３７１６２号公報
【発明の概要】
【発明が解決しようとする課題】
【０００５】
ところで、換気装置の寸法を抑えることが材料コストや建物への取付スペースの観点から要求される。特許文献１に記載の技術は、換気装置の開口を閉じるための蓋部材を設けているため、その分のスペースを確保する必要がある。また、換気装置の開口を固く閉塞できる構造が望ましい。
【０００６】
本発明は、こうした状況に鑑みてなされたものであり、その目的とするところは、小型化しつつ、開口へのシール性能を十分に確保できる換気装置を提供することにある。
【課題を解決するための手段】
【０００７】
上記課題を解決するために、本発明のある態様の換気装置は、室外側開口および室内側開口を有する通風部と、室外側開口から室内側開口までの空気の流路に設けられる羽根部と、室内側に回動可能に固定され、羽根部を移動させる吊り上げ機構と、を備える。吊り上げ機構は、初期位置にある羽根部を室内側開口を閉じる方向に吊り上げ、閉鎖位置にて羽根部により室内側開口を閉塞可能である。
【０００８】
この態様によると、羽根部で室内側開口を閉じることで、別の蓋部材およびそのヒンジ部分が不要となり、換気装置を小型化できる。また、室内側に位置する吊り上げ機構により羽根部を吊り上げることで、羽根部の上面に吊り上げ機構を連結して、羽根部の下面を一様にして、羽根部の一様な面で室内側開口を閉じることができる。そして、羽根部を室内側開口の開口縁に当接させることで、シール性能を高めることができる。
【０００９】
羽根部の端部の少なくとも一辺には、開口縁に面接触する当接面が形成されてもよい。面接触させることで、シール性能を高めることができる。
【００１０】
当接面は、同一平面上に設けられてもよい。同一平面上に設けられた当接面は開口縁に当接させやすくなり、シール性能をより高めることができる。
【００１１】
吊り上げ機構は、羽根部と吊り上げ機構を回動可能に連結する第１リンク軸部を有してもよい。第１リンク軸部は、軸方向から見て羽根部の中央部に連結してもよい。これにより、閉鎖位置にて室内側開口の開口縁にかかる閉塞荷重をバランスよくでき、安定して閉じることができる。
【発明の効果】
【００１２】
本発明によれば、小型化しつつ、開口へのシール性能を十分に確保できる換気装置を提供できる。
【図面の簡単な説明】
【００１３】
【図１】実施形態に係る換気装置が取り付けられるカーテンウォールの構成を示す正面図である。
【図２】実施形態に係る換気装置の構成を示す側面断面図である。
【図３】換気装置の平面断面図である。
【図４】羽根部の構造および回転止め構造について説明する図である。
【図５】図３に示す換気装置の線分Ｂ−Ｂの断面図である。
【図６】換気装置のリンク機構について説明するための図である。
【図７】閉鎖位置におけるリンク機構を説明するための図である。
【図８】変形例の換気装置について説明するための図である。
【発明を実施するための形態】
【００１４】
図１は、実施形態に係る換気装置１０が取り付けられるカーテンウォール７１の構成を示す正面図である。図２は、実施形態に係る換気装置１０の構成を示す側面断面図であり、図３は、換気装置１０の平面断面図である。なお、図２は、図３に示す換気装置１０の線分Ａ−Ａの断面図である。
【００１５】
換気装置１０は、図２に示すように、建物の壁により仕切られた室外空間１２と室内空間１４との間を換気する。実施形態において、換気装置１０は、カーテンウォールの無目部や膳板部に取り付けられる。
【００１６】
図１に戻り、カーテンウォール７１は、建物躯体の端部に固定された方立支持金具によって、水平方向に所定の間隔をおいて上下方向にそって方立を固定した後、この方立間に上下方向に所定間隔で無目を架け渡して開口枠を形成し、各開口枠に対してガラス等のパネルを嵌合設置したカーテンウォール構造である。カーテンウォール７１は、複数の枠部材を矩形状に枠組みして構成された枠体７２と、枠体７２の内側に嵌め込まれたガラス板７３とを備える。カーテンウォール７１は、換気装置１０の取り付け位置において、上下に間隔を空けて設けられた一対の換気装置用横枠７２ａを備えている。換気装置１０は、その一対の換気装置用横枠７２ａに取り付けられる。
【００１７】
なお、上記ではカーテンウォールの一例としてノックダウン方式で組立られたカーテンウォール７１を示し、換気装置１０をノックダウン方式のカーテンウォール７１に取り付ける態様を示したが、この態様には限られない。例えば、ユニット方式のカーテンウォールに換気装置１０を取り付けてよい。また、カーテンウォールに限られず、サッシの無目部に換気装置１０を取り付けてもよい。
【００１８】
図２に示すように、換気装置１０の通風部２０は、空気の流路２４を形成するともに、換気装置１０の外形を形成するハウジングとして機能する。通風部２０は、図２、図３に示すように、例えば、上下に間隔を空けて配置された上部フレーム２０ｂと下部フレーム２０ａと、上部フレーム２０ｂ及び下部フレーム２０ａの左右方向両側の側部に接続された側部フレーム２０ｃとを備えている。通風部２０は、これら上部フレーム２０ｂ、下部フレーム２０ａ及び側部フレーム２０ｃにより箱状に形成されている。通風部２０は、一対の換気装置用横枠７２ａの室内側側面に対してビス等の固定具により固定して取り付けられる。
【００１９】
通風部２０は、図２に示すように、室外空間１２に開口して設けられた室外側開口１６と、室内空間１４に開口して設けられた室内側開口１８と、室外側開口１６から室内側開口１８に至る流路２４とを有している。これら室外側開口１６、室内側開口１８及び流路２４は、上部フレーム２０ｂ、下部フレーム２０ａ及び側部フレーム２０ｃにより形成されている。図２では、室外側開口１６は水平方向に開口して設けられ、室内側開口１８は鉛直方向上側に向けて開口して設けられているが、その開口する方向に限られず、別の方向に開口してもよい。室内側開口１８は、水平方向に対して傾斜して形成されており、水平方向に沿って形成する場合と比べて、開口面積が大きくなっている。図２に示すように室外側開口１６には、異物の流入を防ぐ網戸１７が設けられる。
【００２０】
室外側開口１６は、図１の換気装置用横枠７２ａの隙間に位置し、長手状の矩形に形成され、室内側開口１８も同様に長手状の矩形に形成される。図３に示すように換気装置１０も長手状に設けられる。
【００２１】
図２に示すように室内側開口１８の流路２４側の開口縁には、樹脂製のシール材２２が設けられる。シール材２２は室内側開口１８の開口縁の全周に形成され、長手状の一辺に位置する第１縁シール２２ａ、長手状の他辺に位置する第２縁シール２２ｂ、両側辺に位置する側縁シール２２ｃを有する。
【００２２】
羽根部２６は、室外側開口１６から室内側開口１８までの流路２４内において、通風部２０に対して回転自在に支持されている。図２に示すように羽根部２６は、その軸部が通風部２０の室外側開口１６から室内側開口１８に向けて空気が流れる方向と交差するように、略水平に設けられている。羽根部２６の軸部は、図３に示すように、羽根部２６の上方に設けられる一対の第１リンク軸部４４と、羽根部２６の両側に設けられる一対の羽根軸部２８とを有し、２種類の軸部により支持される。羽根部２６は、回転することにより通風部２０内の流路２４の開度を変更可能に設けられ、これにより、流路２４内を通過する空気の流量を調整可能となる。
【００２３】
羽根部２６は、流路２４内を通過する空気の風速が遅いとき、流路２４を開く通常回転位置で静止し、流路２４内を通過する空気の風速が速いとき、流路２４を閉じる閉回転位置まで回転して静止する。図２では、通常回転位置にある羽根部２６を実線で、閉回転位置にある羽根部２６を点線で示す。
【００２４】
図３に示すように、羽根部２６を回転自在に支持する羽根軸部２８は、羽根部２６の左右方向両端にある側板２７から外向きに突出するように設けられ、通風部２０の側部フレーム２０ｃの羽根軸ガイド部３０に支持される。羽根部２６と側部フレーム２０ｃとの隙間が側部流路２４ｃとなっており、羽根部２６が閉回転位置にあっても側部流路２４ｃが開いており、一定の通風量を確保できる。
【００２５】
図２および図３に示すように、通風部２０の側部フレーム２０ｃの内面には、羽根部２６の回転を制限する第１制限部３４ａおよび第２制限部３４ｂ（これらを区別しない場合「制限部３４」という）が設けられる。通常回転位置にて羽根部２６の第２クッション３２ｂが第２制限部３４ｂに当接して回転が止まり、閉回転位置にて第１クッション３２ａが第１制限部３４ａに当接して回転が止まる。第１クッション３２ａおよび第２クッション３２ｂを区別しない場合「クッション３２」という。ここで、図４を参照して、羽根軸部２８および羽根軸ガイド部３０、クッション３２および制限部３４について詳細に説明する。
【００２６】
図４は、羽根部２６の構造および回転止め構造について説明する図である。図４（ａ）は羽根部２６を側方外側からみた側面図であり、図４（ｂ）は主に側板２７および側部フレーム２０ｃの上面図である。
【００２７】
図４（ａ）に示すように、側板２７は、ビスなどの固定具２９により羽根部２６の端部に固定される。図４（ｂ）に示すように、羽根軸部２８およびクッション３２は、側板２７の外側に設けられ、側板２７に対向する側部フレーム２０ｃに向かって張り出すように設けられる。羽根軸部２８のすべり軸受２８ａおよび樹脂製のクッション３２は、ビスにより側板２７に支持される。
【００２８】
羽根軸ガイド部３０および制限部３４は、側部フレーム２０ｃの内面に形成され、対向する側板２７に向かって突出するように設けられる。羽根軸ガイド部３０は、一対の壁部３０ａが平行に設けられ、一対の壁部３０ａの先端部３０ｂは接近して対向間隔が狭くなるように設けられる。狭くなった先端部３０ｂにより、羽根軸部２８が軸方向に抜け止めされる。また、羽根軸部２８は、一対の壁部３０ａに挟まれることで水平方向の移動が制限される。羽根軸部２８を羽根部２６に設け、その軸受となる羽根軸ガイド部３０を側部フレーム２０ｃの内面に形成することで、羽根部２６や通風部２０に余分な孔を設ける必要がなくなる。
【００２９】
制限部３４は、平板を屈曲して形成され、断面Ｌ字形状に形成され、側部フレーム２０ｃから壁面が立設するように設けられる。クッション３２が制限部３４の立設した壁面に当接して羽根部２６の回転が止まる。樹脂製のクッション３２により制限部３４に当接したときの衝撃や音が軽減される。
【００３０】
羽根部２６は、室外側の前端部２６ａ、室内側の後端部２６ｂ、下面中途に形成された絞り部２６ｃ、絞り部２６ｃより前方側の平板部２６ｄ、平板部２６ｄから傾斜する傾斜部２６ｅ、前端部２６ａ側の上面に形成された第１当接面２６ｆ、および後端部２６ｂ側の上面に形成された第２当接面２６ｇを有する。羽根部２６は、アルミニウム等の金属材料を素材とした押出成形等をすることにより成形され、各部位が一体に設けられているが、別々の部材を組み合わせて構成されていてもよい。以下においては、羽根部２６に対して重心Ｇから平板部２６ｄが延びている方向を羽根部２６の前側とし、その逆方向を羽根部２６の後側として説明する。
【００３１】
羽根部２６の平板部２６ｄは、羽根部２６が通常回転位置にあるときに、羽根軸部２８に対して流路２４内を流れる空気の向き（例えば、水平方向）に沿って延びて設けられている。また、平板部２６ｄは、羽根部２６が通常回転位置にあるときに、室外側開口１６側から室内側開口１８側にかけての流路２４内の空気の流れを遮らないように延びている。平板部２６ｄは、室外側開口１６が水平方向に開口しており、その平板部２６ｄが設けられた位置において流路２４内を略水平に空気が流れることから、その空気の流れる向きに沿うように略水平に延びて設けられている。
【００３２】
傾斜部２６ｅは、通常回転位置にて平板部２６ｄから斜め上方に傾斜するように設けられ、水平方向に流れる風を受ける。羽根部２６を軸方向からみて平板部２６ｄの水平方向の長さは、傾斜部２６ｅより長く形成される。これにより、羽根部２６が回転した際に、羽根部２６の回転角に対して羽根部２６の鉛直方向の面積を大きくできる。つまり、平板部２６ｄは、羽根部２６が通常回転位置にあるときに、水平方向に延びる長さが長くなるほど、圧力差による力により通常回転位置から回転し易くなり、流路２４の開度を変化させ易くできる。
【００３３】
第１当接面２６ｆは、羽根部２６の前端側の上面にて平らに帯状に形成され、第２当接面２６ｇは羽根部２６の後端側の上面にて平らに帯状に形成される。第１当接面２６ｆおよび第２当接面２６ｇは、同一平面上に形成され、側板２７の上端面２７ａも同一平面に形成される。第１当接面２６ｆ、第２当接面２６ｇおよび上端面２７ａは、室内側開口１８の開口縁のシール材２２に当接することで、室内側開口１８を閉塞する。
【００３４】
羽根部２６の重心Ｇは、羽根軸部２８の下方に位置し、平板部２６ｄが水平の通常回転位置では、羽根軸部２８の真下に位置する。羽根部２６が回転すると重心Ｇが回転移動して羽根部２６に自重によるトルクが生じる。この自重によるトルクにより、羽根部２６に外力が付与されない場合、羽根部２６の平板部２６ｄが略水平方向に延びた通常回転位置に維持される。羽根部２６の重心Ｇおよび羽根軸部２８は、前端部２６ａおよび後端部２６ｂの中間に位置する中央部２６ｈに設けられる。羽根部２６の回動支点を中央部２６ｈに設けることで、シーソーのように回動しやすくなる。なお中央部２６ｈは、羽根部２６を前後方向に３分割した場合の中央部分の範囲にあればよく、前後方向の中心に限定されるものではない。
【００３５】
羽根部２６は、流路２４内を流れる空気を平板部２６ｄにより受けなくとも通常回転位置から回転できるように絞り部２６ｃが設けられている。絞り部２６ｃは、羽根部２６の中間位置において、羽根部２６の下方に向けて突出するように設けられ、羽根部２６の下面が円弧状に突出するように設けられる。
【００３６】
図２に戻って、羽根部２６の絞り部２６ｃの機能について説明する。羽根部２６が通常回転位置にあるとき、通風部２０の流路２４が羽根部２６により仕切られることによって、羽根部２６を挟んで通風部２０との間に、上部流路２４ａと下部流路２４ｂとの異なる流路が形成される。実施形態において、下部流路２４ｂは、羽根部２６の下面と通風部２０の上部フレーム２０ｂとにより形成される。上部流路２４ａは、羽根部２６の上面と通風部２０の下部フレーム２０ａとにより形成される。
【００３７】
絞り部２６ｃは、羽根部２６の下側の下部流路２４ｂ中に設けられている。実施形態において、絞り部２６ｃは、羽根部２６に設けられているが、通風部２０の流路２４の内面である下部フレーム２０ａに設けられていてもよい。この場合、通風部２０の下部フレーム２０ａは、羽根部２６が通常回転位置にあるときに、下部流路２４ｂの室外側開口１６側から室内側開口１８側に向かう中間位置において、その下部フレーム２０ａの一部が羽根部２６に向けて突出するように設けられることになる。
【００３８】
絞り部２６ｃは、下部流路２４ｂを通過する空気の抵抗として機能し、下部流路２４ｂを通過する空気の流速は、上部流路２４ａを通過する空気の流速よりも遅くなる。この結果、通風部２０の室外側開口１６から流路２４内に空気が通過したときに、上部流路２４ａの圧力が下部流路２４ｂの圧力より小さくなり、上部流路２４ａと下部流路２４ｂとの間で圧力差が生じる。そして、羽根部２６の平板部２６ｄに対して閉回転位置に向かう力が圧力差により作用し、平板部２６ｄが通常回転位置から回転し始める。
【００３９】
このように絞り部２６ｃは、下部流路２４ｂと上部流路２４ａとで圧力差を生じさせることにより、平板部２６ｄを通常回転位置から回転させる圧力差発生手段として設けられる。羽根部２６の平板部２６ｄに作用する圧力差により、羽根部２６が通常回転位置から回転可能となるように、下部流路２４ｂは、その途中に絞り部２６ｃが設けられることによって、その断面形状が調整される。この断面形状は、下部流路２４ｂの室外側開口１６側の断面積に対して、その絞り部２６ｃの位置での断面積が小さくなるように調整される。この断面積の比が大きくなるほど、平板部２６ｄに作用する圧力差が増大し、羽根部２６が通常回転位置から回転しやすくなる。
【００４０】
図３に示すように、羽根部２６は、複数のリンク機構４２により回動軸部３６から吊り下げるように保持される。回動軸部３６は、室内側開口１８の縁に固定された支持部４０により、回動可能に支持される。回動軸部３６は羽根部２６の長手方向に延び、回動軸部３６を電動で回動させる駆動部３８に連結される。駆動部３８は、スイッチのオン／オフをトリガーとして駆動し、回動軸部３６を所定の方向に回動させる。なお、回動軸部３６は手動で回動可能に設けられてもよい。
【００４１】
羽根部２６に設けられた２種類の回動軸である羽根軸部２８およびリンク機構４２の第１リンク軸部４４は、図３に示すように同軸に設けられる。これにより、羽根軸部２８での回動と第１リンク軸部４４での回動が干渉することを防ぐことができる。
【００４２】
図５は、図３に示す換気装置１０の線分Ｂ−Ｂの断面図である。図５（ａ）は羽根部２６が調整位置にある状態を示し、図５（ｂ）は羽根部２６が閉鎖位置にある状態を示す。また、なお、図５に示す換気装置１０は側板２７を省いて示す。
【００４３】
図５（ｂ）に示すように、実施形態の換気装置１０では、通風量調整用の羽根部２６が吊り上げられて、室内側開口１８を閉塞した閉塞位置にある。このように、羽根部２６は、昇降可能に設けられて、図５（ａ）に示す通風量を調整する調整位置と、図５（ｂ）に示す室内側開口１８を閉塞する閉塞位置との２つの位置をとる。調整位置は、換気装置１０が通風路として機能する初期位置ととらえてもよい。
【００４４】
羽根部２６は、リンク機構４２により上下方向に昇降される。図３に示すように、複数のリンク機構４２が羽根部２６に設けられる。リンク機構４２は、羽根部２６を吊り下げる形で回動可能に支持する。ここでリンク機構４２について、図６を参照しつつ詳細に説明する。
【００４５】
図６は、換気装置１０のリンク機構４２について説明するための図である。図６（ａ）はリンク機構４２の側面図であり、図６（ｂ）はリンク機構４２の正面図であり、図６（ｃ）はリンク機構４２の上面図である。
【００４６】
リンク機構４２は、羽根部２６の上面に固定される第１固定部５４と、回動軸部３６の外周面に固定される第２固定部４６と、第１リンク軸部４４により羽根部２６に回動可能に連結する第１リンク部４８と、第１リンク部４８および回動軸部３６に連結する第２リンク部５０と、第１リンク部４８を羽根部２６に回動可能に連結する第１リンク軸部４４と、第２リンク部５０および第１リンク部４８を回動可能に連結する第２リンク軸部５２と、を有する。第２リンク部５０は、第２固定部４６に一体に形成される。
【００４７】
図６（ａ）に示すように、第１リンク軸部４４および第２リンク軸部５２は、回動軸部３６の回転軸に平行に設けられる。板状の第１リンク部４８は湾曲した略円弧形に形成され、内径側に回動軸部３６が入り込み可能に形成される。板状の第２リンク軸部５２は長手形状に形成される。
【００４８】
第１リンク部４８は、第２リンク部５０より長く形成され、第２リンク軸部５２と第１リンク軸部４４の間隔は、第２リンク軸部５２と回動軸部３６の間隔より長く形成される。第２リンク部５０を短く形成することで、第２リンク軸部５２の回転軌跡を小さくできる。
【００４９】
図５に戻る。羽根部２６で室内側開口１８を閉じることで、別の蓋部材およびそのヒンジ部分が不要となり、換気装置１０を小型化できる。また、別の蓋部材を室内側開口１８に設ける必要がなくなるため、蓋部材による通風の抵抗がなくなり、通風性を高めることができる。
【００５０】
リンク機構４２により羽根部２６を昇降させて通風部２０側から室内側開口１８を閉じることで、固く閉めることが可能になる。例えば、羽根部２６の前端部２６ａに回転機構を設けて、回転機構により回転させて室内側開口１８を閉じる場合、後端部２６ｂの閉塞荷重が前端部２６ａより小さくなり、シール性が低下するおそれがある。一方、羽根部２６を吊り上げて室内側開口１８を閉じることで、室内側開口１８の開口縁にかかる閉塞荷重をバランスよくでき、安定して閉じることができる。また、室内側に位置するリンク機構４２により吊り上げることで、羽根部２６の下面に孔を設ける必要がなくなり、一様な下面で閉鎖でき、シール性能を高めることができる。また、羽根部２６の上面で開口縁を覆うように閉鎖することができる。
【００５１】
羽根部２６は、閉鎖位置にて室内側開口１８の開口縁に当接するように設けられる。通風部２０側から羽根部２６を吊り上げて室内側開口１８の開口縁に当接させることで、シール性能を高めることができる。室内側開口１８の開口縁にはシール材２２を設けることで、シール性能をより高めることができる。なお、シール材２２は羽根部２６に設けられてもよい。
【００５２】
羽根部２６の端部の少なくとも一辺には、開口縁に面接触する当接面が形成される。羽根部２６の前端部２６ａには第１当接面２６ｆが平らに形成され、後端部２６ｂには第２当接面２６ｇが平らに形成される。さらに、側板２７の上端面２７ａにも平らな当接面が形成される。閉鎖位置にて、第１当接面２６ｆは第１縁シール２２ａに面接触し、第２当接面２６ｇは第２縁シール２２ｂに面接触し、側板２７の上端面２７ａは、側縁シール２２ｃに面接触する。これにより、羽根部２６が室内側開口１８の開口縁に対して少しだけ位置ずれしても、接触を確保でき、羽根部２６のシール性能を高めることができる。なお、羽根部２６を室内側開口１８の開口縁の全周に渡って面接触させる必要はなく、部分的に線接触させてもよい。例えば、側板２７が薄板に形成され側板２７の上端が尖っており、側板２７の上端がシール材２２の側縁シール２２ｃに対して線接触してもよい。
【００５３】
また、図４に示すように第１当接面２６ｆ、第２当接面２６ｇおよび上端面２７ａを同一平面上に形成している。また、室内側開口１８の開口縁も全周に渡って同一平面上に形成される。これにより、羽根部２６の当接面を室内側開口１８の開口縁の全周に均等に面接触させてシール性能をいっそう高めることができる。羽根軸部２８やクッション３２を羽根部２６の外側に設けることで、羽根部２６の当接面を同一平面上に形成可能となる。
【００５４】
図５に戻る。羽根軸ガイド部３０は、羽根軸部２８の調整位置から閉塞位置への移動をガイドする。羽根軸ガイド部３０のガイドによって昇降時の羽根軸部２８の水平方向の移動を制限する。これにより、リンク機構４２により羽根部２６を吊り上げる際に、羽根部２６のガタツキを抑え、室内側開口１８の開口縁と羽根部２６の第１当接面２６ｆおよび第２当接面２６ｇが水平方向に位置ずれすることを抑えることができる。
【００５５】
羽根軸ガイド部３０は、調整位置での羽根軸部２８の水平方向への動きを制限する。これにより、調整位置で回動する羽根部２６の水平方向のガタツキを抑えることができる。また、リンク機構４２で水平方向の移動を制限する必要がなくなり、リンク機構４２の構成を簡素にすることができる。
【００５６】
第１制限部３４ａおよび第２制限部３４ｂは、調整位置での回転止めとして機能するとともに、吊り上げ時の羽根部２６の回動を抑えるガイドとしても機能する。羽根部２６を吊り上げる際に第１クッション３２ａおよび第２クッション３２ｂは、第１制限部３４ａおよび第２制限部３４ｂに当接して、室内側開口１８に向かってガイドされる。回動可能な羽根部２６の回動を抑えて羽根部２６を吊り上げることができる。第１制限部３４ａおよび第２制限部３４ｂは、羽根部２６を室内側開口１８へ移動させる際に室内側開口１８に対する羽根部２６の角度を室内側開口１８の傾斜に合わせるガイドになる。制限部３４により羽根部２６の前端側および後端側の動きを制限することで、羽根部２６の傾斜角を定め、傾斜する室内側開口１８に対するずれを抑えることができる。
【００５７】
図７は、閉鎖位置におけるリンク機構４２の作用を説明するための図である。図７には、第１リンク軸部４４の中心軸および回動軸部３６の中心軸を結ぶ基準平面Ｓ１と、第１リンク軸部４４の中心軸および第２リンク軸部５２の中心軸を結ぶ平面Ｓ２と、回動軸部３６の中心軸を通る鉛直方向に平行な鉛直平面Ｓ３とを断面線で示し、これらの平面は軸方向に沿って延びる。
【００５８】
第１リンク部４８は、閉鎖位置にて回動軸部３６を跨ぐ湾曲形状として形成される。これにより、羽根部２６の荷重が回動軸部３６を跨いだ第１リンク部４８から回動軸部３６に加わるため、リンク機構４２の回動を抑えることができる。
【００５９】
閉鎖位置における第１リンク軸部４４と第２リンク軸部５２は、回動軸部３６の中心軸を挟む位置にて安定する。つまり、閉鎖位置において、第１リンク軸部４４は鉛直平面Ｓ３に対して前側に位置し、第２リンク軸部５２は鉛直平面Ｓ３に対して後ろ側に位置する。これにより、第１リンク軸部４４および第２リンク軸部５２それぞれでの荷重が回動軸部３６に付与されて、羽根部２６の荷重によるリンク機構４２の回動を抑えることができる。
【００６０】
第２リンク軸部５２は、基準平面Ｓ１に対し、調整位置から閉鎖位置になった際に基準平面Ｓ１を通過し、図７に示すように、閉鎖位置にて基準平面Ｓ１より後ろ側（図中右側）に位置する。つまり、水平方向において、調整位置にて基準平面Ｓ１より前側に位置していた第２リンク軸部５２が、閉鎖位置にて基準平面Ｓ１より後ろ側に位置する。これにより、羽根部２６の荷重によるリンク機構４２の回動を抑えることができる。
【００６１】
このように、閉鎖位置ではリンク機構４２自体によって回動を抑えた状態となり、羽根部２６による室内側開口１８の閉鎖が安定し、室外側開口１６から雨が吹き込んだ場合にも室内への流入を確実に防ぐことができる。また、リンク機構４２自体で羽根部２６の荷重による回動を抑えることで、別の回動ロック機構を設ける必要がなくなる。例えば、駆動部３８で回動軸部３６の回動をロックすることも可能であるが、自体で羽根部２６の荷重による回動を抑えることで、駆動部３８にかかる負荷を低減できる。
【００６２】
図８は、変形例の換気装置１００について説明するための図である。変形例の換気装置１００は、図５（ａ）および（ｂ）に示す換気装置１０と比べて、リンク機構１４２の形状が異なり、吊り上げ式の羽根部２６を設ける点では同じである。
【００６３】
リンク機構４２は、第１リンク部１４８と、回動軸部３６に連結する第２リンク部１５０と、羽根部２６および第１リンク部１４８を回動可能に連結する第１リンク軸部４４と、第１リンク部１４８および第２リンク部１５０を回動可能に連結する第２リンク軸部１５２と、を有する。
【００６４】
第１リンク部１４８および第２リンク部１５０は、長手状の平板により形成される。例えば、第１リンク部１４８および第２リンク部１５０の形状を共通化することで製造コストを抑えることができる。
【００６５】
以上、実施の形態に基づき本発明を説明したが、実施の形態は、本発明の原理、応用を示しているにすぎない。また、実施の形態には、請求の範囲に規定された本発明の思想を逸脱しない範囲において、多くの変形例や配置の変更が可能である。
【００６６】
上述の実施形態においては、本発明に係る換気装置１０を建物に適用した例を示したが、トンネル等の土木構造物に適用されていてもよい。
【００６７】
また、実施形態においては、絞り部２６ｃのような圧力差発生手段が下部流路２４ｂ中に設けられた例を示したが、圧力差発生手段は上部流路２４ａ中に設けられていてもよい。この場合、閉回転位置から通常回転位置に向けて羽根部２６を回転させるうえでは、公知の錘等の付勢手段により通常回転位置に向かう付勢力を羽根部２６に作用させることとしてよい。
【００６８】
また、実施形態においては、羽根部２６が通常回転位置にあるときに、羽根部２６の平板部２６ｄが、略水平に延びた流路２４中に、略水平に延びて設けられている場合を説明した。変形例においては、略鉛直に空気が流れるような略鉛直に延びた流路２４中に、羽根部２６の平板部２６ｄが略鉛直に延びて設けられていてもよい。この変形例においては、羽根部２６の平板部２６ｄが設けられた位置において、流路２４内を略鉛直に空気が流れることから、平板部２６ｄもその空気の流れに沿って略鉛直に延びて設けられる。
【００６９】
また、実施形態においては、リンク機構４２により羽根部２６を昇降させる態様を示したが、この態様に限られない。例えば、ワイヤーを回動軸部３６と第１リンク軸部４４に連結し、回動軸部３６でワイヤーを巻き上げることで羽根部２６を吊り上げてよい。リンク機構４２もワイヤーも羽根部２６を吊り上げる吊り上げ機構として機能する。
【００７０】
また、実施形態においては、羽根部２６を回動させて通風量を調整させる態様を示したが、この態様に限られない。例えば、羽根部を上下移動または水平移動することで、流路の開度を変えて通風量を調整してもよい。この場合、流路の断面積が上下方向または水平方向に変化するように形成される。例えば、上向きに流路の断面積が狭くなるように形成された通風部にて、羽根部が吊り上げ機構により上方に移動すると、流路の開度が小さくなって通風量が減り、羽根部が下方に移動すると、流路の開度が大きくなって通風量が増す。このように、流路２４の通風量を調整する手段は、回動する羽根部２６に限られず、上下移動や水平移動など移動する羽根部によって実現可能であり、これらを含めて移動により通風量を調整可能な羽根部という。
【符号の説明】
【００７１】
１０  換気装置、  １２  室外空間、  １４  室内空間、  １６  室外側開口、  １７  網戸、  １８  室内側開口、  ２０  通風部、  ２０ａ  下部フレーム、  ２０ｂ  上部フレーム、  ２０ｃ  側部フレーム、  ２０ｄ  下部立ち上がり部、  ２２  シール材、  ２４  流路、  ２６  羽根部、  ２６ａ  前端部、  ２６ｂ  後端部、  ２６ｃ  絞り部、  ２６ｄ  平板部、  ２６ｅ  傾斜部、  ２６ｆ  第１当接面、  ２６ｇ  第２当接面、  ２７  側板、  ２８  羽根軸部、  ３０  羽根軸ガイド部、  ３２ａ  第１クッション、  ３２ｂ  第２クッション、  ３４ａ  第１制限部、  ３４ｂ  第２制限部、  ３６  回動軸部、  ３８  駆動部、  ４０  支持部、  ４０ａ  支持孔、  ４２  リンク機構、  ４４  第１リンク軸部、  ４６  第２固定部、  ４８  第１リンク部、  ５０  第２リンク部、  ５２  第２リンク軸部、  ５４  第１固定部、  ７１  カーテンウォール、  ７２  枠体、  ７２ａ  換気装置用横枠、  ７３  ガラス板。
【図１】
0006352139.tif 000002
【図２】
0006352139.tif 000003
【図３】
0006352139.tif 000004
【図４】
0006352139.tif 000005
【図５】
0006352139.tif 000006
【図６】
0006352139.tif 000007
【図７】
0006352139.tif 000008
【図８】
0006352139.tif 000009